(57)【要約】【課題】  この発明は、サーバに接続される機器の情報を、ユーザが意図することなく簡単にかつ正確にサーバに登録することができるようになるサーバへの機器情報登録方法を提供することを目的とする。【解決手段】  サーバにネットワークを介して接続された監視カメラ等の機器に関する情報を、端末機を用いて上記サーバに登録させるサーバへの機器情報登録方法において、上記端末機は、上記機器にアクセスして上記機器から機器に関する情報を取得し、取得した機器情報を含むサーバ用のクッキーファイルを作成するステップ、および上記サーバに登録実行用のＵＲＬを要求することにより、上記サーバから送られてくるプログラムに基づいて、上記クッキーファイルから機器情報を読み取り、読み取った機器情報を上記サーバに自動的に送信するステップを実行する。【選択図】  図１
2006113679.tif 000002
【特許請求の範囲】
【請求項１】
サーバにネットワークを介して接続された監視カメラ等の機器に関する情報を、端末機を用いて上記サーバに登録させるサーバへの機器情報登録方法において、
上記端末機は、上記機器にアクセスして上記機器から機器に関する情報を取得し、取得した機器情報を含むサーバ用のクッキーファイルを作成するステップ、および
上記サーバに登録実行用のＵＲＬを要求することにより、上記サーバから送られてくるプログラムに基づいて、上記クッキーファイルから機器情報を読み取り、読み取った機器情報を上記サーバに自動的に送信するステップを実行することを特徴とするサーバへの機器情報登録方法。
【請求項２】
サーバにネットワークを介して接続された監視カメラ等の機器に関する情報を上記サーバに登録させるサーバへの機器情報登録装置において、
上記機器にアクセスして上記機器から機器に関する情報を取得し、取得した機器情報を含むサーバ用のクッキーファイルを作成する手段、および
上記サーバに登録実行用のＵＲＬを要求することにより、上記サーバから送られてくるプログラムに基づいて、上記クッキーファイルから機器情報を読み取り、読み取った機器情報を上記サーバに自動的に送信する手段、
を備えていることを特徴とするサーバへの機器情報登録装置。
【発明の詳細な説明】
【技術分野】
【０００１】
この発明は、サーバへの機器情報登録方法よび装置に関する。
【背景技術】
【０００２】
監視システムとして、通信機能を備えた監視カメラがネットワークを介してサーバに接続され、監視カメラによって撮像された画像がサーバに蓄積されるようなものがある。サーバに蓄積された画像は、ユーザ端末（例えば、ＰＣ）をサーバに接続することにより、見ることが可能である。また、ユーザ端末（例えば、ＰＣ）からサーバを介して監視カメラを遠隔操作することが可能である。
【０００３】
このようなシステムにおいては、サーバ側に監視カメラに関する情報（接続機器情報：プロダクトＩＤ，ＭＡＣアドレス等）を登録しておく必要がある。従来は、この接続機器情報の登録は、ユーザ端末（ＰＣ）をサーバに接続し、サーバが提供する登録サイト上で機器情報を手入力することによって行われているため、登録作業が煩わしいとともに、入力ミスを起こす可能性があった。
【発明の開示】
【発明が解決しようとする課題】
【０００４】
この発明は、サーバに接続される機器の情報を、簡単にかつ正確にサーバに登録することができるようになるサーバへの機器情報登録方法および装置を提供することを目的とする。
【課題を解決するための手段】
【０００５】
請求項１に記載の発明は、サーバにネットワークを介して接続された監視カメラ等の機器に関する情報を、端末機を用いて上記サーバに登録させるサーバへの機器情報登録方法において、上記端末機は、上記機器にアクセスして上記機器から機器に関する情報を取得し、取得した機器情報を含むサーバ用のクッキーファイルを作成するステップ、および上記サーバに登録実行用のＵＲＬを要求することにより、上記サーバから送られてくるプログラムに基づいて、上記クッキーファイルから機器情報を読み取り、読み取った機器情報を上記サーバに自動的に送信するステップを実行することを特徴とする。
【０００６】
請求項２に記載の発明は、サーバにネットワークを介して接続された監視カメラ等の機器に関する情報を上記サーバに登録させるサーバへの機器情報登録装置において、上記機器にアクセスして上記機器から機器に関する情報を取得し、取得した機器情報を含むサーバ用のクッキーファイルを作成する手段、および上記サーバに登録実行用のＵＲＬを要求することにより、上記サーバから送られてくるプログラムに基づいて、上記クッキーファイルから機器情報を読み取り、読み取った機器情報を上記サーバに自動的に送信する手段を備えていることを特徴とする。
【発明の効果】
【０００７】
この発明によれば、サーバに接続される機器の情報を、簡単にかつ正確にサーバに登録することができるようになる。
【発明を実施するための最良の形態】
【０００８】
以下、図面を参照して、この発明を監視カメラがネットワークを介してサーバに接続されている監視システムに適用した場合の実施例について説明する。
【実施例１】
【０００９】
〔１〕監視システムの構成についての説明
【００１０】
図１は、監視システムの構成を示している。
【００１１】
監視カメラ１がルータ２およびインターネット３を介してサーバＰＣ４に接続されている。また、ルータ２にはローカルＰＣ（ユーザ端末）５が接続されている。
【００１２】
監視カメラ１によって撮像された画像はサーバＰＣ４に蓄積される。サーバＰＣ４に蓄積された画像は、ローカルＰＣ５からサーバＰＣ４にアクセスすることにより、ローカルＰＣ５上で見ることができる。また、ローカルＰＣ５からサーバＰＣ４を介して監視カメラ１を遠隔操作することが可能である。
【００１３】
なお、このような監視システムにおいては、監視カメラ１の情報（接続機器情報：プロダクトＩＤ，ＭＡＣアドレス等）を、予めサーバＰＣ４に登録しておく必要がある。監視カメラ１には、監視カメラ１の情報（接続機器情報：プロダクトＩＤ，ＭＡＣアドレス等）が記憶装置の予め定められた保存位置に記憶されているものとする。ローカルＰＣ５には、接続機器情報をサーバＰＣ４に自動的に登録するための専用アプリケーション（機器情報自動登録プログラム）が搭載されている。
【００１４】
〔２〕ローカルＰＣ上で機器情報自動登録プログラムが起動された場合に実行される処理についての説明
【００１５】
図２は、ローカルＰＣ上で機器情報自動登録プログラムが起動された場合に実行される処理手順を示している。
【００１６】
まず、ローカルＰＣ５を監視カメラ１に接続する（ステップＳ１）。そして、監視カメラ１に記憶されている監視カメラ１の情報（接続機器情報：プロダクトＩＤ，ＭＡＣアドレス等）をローカルＰＣ５に読み出す（ステップＳ２）。次に、接続機器情報に基づいて、接続機器情報を含むサーバ用クッキー（cookie) ファイルを作成する（ステップＳ３）。そして、機器情報登録ボタンを表示する（ステップＳ４）。
【００１７】
ユーザによって機器情報登録ボタンが押されると（ステップＳ５）、サーバＰＣ４に予め定められた登録実行用のＵＲＬを要求する（ステップＳ６）。サーバＰＣ４のＵＲＬが、例えば、www.sanyo-server.comであるとすると、登録実行用のＵＲＬとしては、例えば、www.sanyo-server.com/regist.cgi が用いられる。
【００１８】
サーバＰＣ４は、ローカルＰＣ５からの要求に応じて、ＨＴＭＬファイルを送信する。このＨＴＭＬファイル内には、サーバ用クッキーファイルから接続機器情報を自動的に読み出す処理を記述したプログラム（JAVA( 登録商標)SCRIPT ）が含まれている。
【００１９】
ローカルＰＣ５は、サーバＰＣ４からのＨＴＭＬファイル( 上記JAVA( 登録商標)SCRIPT を含む) を受信すると（ステップＳ７）、ＨＴＭＬファイルに含まれているプログラム（JAVA( 登録商標)SCRIPT ）を実行する（ステップＳ８）。
【００２０】
これにより、サーバ用クッキー（cookie) ファイルから接続機器情報を読み出して、サーバＰＣ４に送信する（ステップＳ９）。なお、サーバ用クッキー（cookie) ファイルが見つからなかった場合には、接続情報の読み出しおよび送信処理は行われない。
【００２１】
サーバＰＣ４は、ローカルＰＣ５から接続機器情報が送られてくると、送られてきた接続機器情報を登録する。そして、登録完了を示すＨＴＭＬファイルをローカルＰＣ５に送信する。
【００２２】
ローカルＰＣ５は、サーバＰＣ４からの登録完了を示すＨＴＭＬファイルを受信すると（ステップＳ１０）、このＨＴＭＬファイルを表示する（ステップＳ１１）。これにより、「登録が完了しました」等の表示が行われる。
【００２３】
〔３〕サーバ用クッキーファイルについての説明
【００２４】
ローカルＰＣ５のアカウント名、登録対象の監視カメラ１のＩＰアドレス、登録先のサーバＰＣ４のＵＲＬが、次に示すような場合を想定する。
【００２５】
ローカルＰＣ５のアカウント名： cam＿sys 
登録対象の監視カメラ１のＩＰアドレス： 192.168.0.2
登録先のサーバＰＣ４のＵＲＬ: www.sanyo-server.com
【００２６】
〔３−１〕ローカルＰＣ５が監視カメラ１にアクセスした際に、ローカルＰＣ５によって通常に作成されるクッキーファイルのファイル名およびファイルの内容は、例えば、次のようになる。
【００２７】
ファイル名： cam＿sys ＠192.168.0.2.txt 
ファイルの内容( プロダクトＩＤ，ＭＡＣアドレス) 
P ＿id0 
5e965d2d4e098aba2889e008d372829fe39cc0c8
192.168.0.2/
1600
861712256 
29696114
3138198352
29622688
＊
mac0
08007b81120a
192.168.0.2/
1600
861712256 
29696114
3138198352
29622688
＊
【００２８】
〔３−２〕擬似的にサーバ用クッキーを作成した場合には、ファイル名およびファイルの内容は、例えば、次のようになる。
【００２９】
ファイル名： cam＿sys ＠www.sanyo-server.com.txt
ファイルの内容( プロダクトＩＤ，ＭＡＣアドレス) 
P ＿id0 
5e965d2d4e098aba2889e008d372829fe39cc0c8
www.sanyo-server.com/ 
1600
861712256 
29696114
3138198352
29622688
＊
mac0
08007b81120a
www.sanyo-server.com/ 
1600
861712256 
29696114
3138198352
29622688
＊
【００３０】
つまり、通常作成されるクッキーファイルのファイル名およびファイルの内容における登録対象カメラ１のＩＰアドレス(192.168.0.2) を、登録先のサーバＰＣ４のＵＲＬ( www.sanyo-server.com) に置き換えることにより、サーバ用クッキーを作成することができる。
【図面の簡単な説明】
【００３１】
【図１】監視システムの構成を示すブロック図である。
【図２】ローカルＰＣ上で機器情報自動登録プログラムが起動された場合に実行される処理手順を示すフローチャートである。
【符号の説明】
【００３２】
１  監視カメラ
２  ルータ
３  インターネット
４  サーバＰＣ
５  ローカルＰＣ
【図１】
2006113679.tif 000003
【図２】
2006113679.tif 000004